(57)【特許請求の範囲】
【請求項１】
液体を加熱する加熱容器と、水道管から前記加熱容器への給水経路に設けられた給水を制御する給水弁と、前記加熱容器内の液体を吐出するポンプと、前記給水弁と前記ポンプを制御する制御手段と、前記制御手段には前記加熱容器内への注水から排水までのすすぎ洗浄工程を自動で行うすすぎ洗浄手段とを有し、前記制御手段の動作停止時に前記制御手段の行っていた動作工程を記憶する記憶手段と、前記制御手段の動作開始時に前記記憶手段に記憶されているのがすすぎ洗浄工程であった時、記憶手段に記憶されたすすぎ洗浄工程の途中から動作を復帰させる、すすぎ洗浄復帰手段とを有する給湯装置。
【請求項２】
すすぎ洗浄復帰手段に替わり、すすぎ洗浄工程の最初から動作を行うすすぎ洗浄リセット手段を有する請求項１に記載の給湯装置。
【請求項３】
制御手段の動作開始時に前記記憶手段に記憶されているのがすすぎ洗浄工程の途中であった時、すすぎ洗浄途中で停電したことを表示する洗浄途中停電表示手段を有する請求項１または２に記載の給湯装置。
【請求項４】
制御手段の動作開始時に記憶手段に記憶されているのが、機器の故障やユーザーの誤操作等の異常状態の時、前記すすぎ洗浄手段を動作させる異常時すすぎ手段を有する請求項１〜３のいずれか１項に記載の給湯装置。
【請求項５】
制御手段の動作開始時に記憶手段に記憶されている前回停電時の動作工程の情報があり得ないデータの時、前記すすぎ洗浄手段を動作させる誤情報すすぎ手段を有する請求項１〜４のいずれか１項に記載の給湯装置。
【請求項６】
制御手段の動作開始時に記憶手段に情報が記憶されていない時、前記すすぎ洗浄手段を動作させる初回時すすぎ手段を有する請求項１〜５のいずれか１項に記載の給湯装置。
【請求項７】
制御手段の動作開始時に前記記憶手段に記憶されている動作工程を判断後、記憶手段に記憶された前回停電時の動作工程の情報を消去する消去手段を有する請求項１〜６のいずれか１項に記載の給湯装置。
【発明の詳細な説明】
【０００１】
【発明の属する技術分野】
本発明は、一般家庭におけるキッチンシステムへ組み込んで使用するビルトインタイプの給湯装置に関するものである。
【０００２】
【従来の技術】
従来のジャーポット等の湯沸かし器は、加熱容器内のすすぎ洗浄を行う場合、そのタイミングを使用者が決め、使用者自身が加熱容器内に水を注いですすぎを行い、その後容器内の液体を捨てるという作業を行っていた。
【０００３】
【発明が解決しようとする課題】
しかしながら、上記従来のような方法は、加熱容器内の液体が古くなってすすぎ洗浄を行うべきかどうかを、使用者の記憶や判断に頼り、さらにすすぎ洗浄の作業自体が加熱容器内に水を注いで、すすぎを行って排水という行為を繰り返すため、手間がかかり、衛生的にも使用者の負担になるという課題を有していた。
【０００４】
本発明は、上記従来の問題点を解決するもので、すすぎ洗浄の工程を自動化し、万が一すすぎ洗浄の工程途中に停電が生じて、すすぎ洗浄が中断しても停電復帰後、自動的にすすぎ洗浄工程の続きから再開し、すすぎ洗浄工程を完結する、衛生的で使い勝手の良いビルトイン給湯装置を提供することを目的とする。
【０００５】
【課題を解決するための手段】
前記従来の課題を解決するために本発明の給湯装置は、給水弁やポンプ等の負荷の制御を行う制御手段と、注水から排水まで自動で行う、すすぎ洗浄手段と、停電時に制御手段が制御していた工程を記憶する記憶手段と、制御手段の動作開始時に記憶手段に記憶されているのがすすぎ洗浄工程の途中であった時、記憶されたすすぎ洗浄工程の途中から動作を復帰させる、すすぎ洗浄復帰手段を設けたものである。
【０００６】
これにより、すすぎ洗浄工程が停電により中断していても、停電復帰時、自動的にすすぎ洗浄工程を復帰させ完結するので、使用者は手軽で衛生的な給湯装置を使用することができる。
【０００７】
【発明の実施の形態】
請求項１に記載の発明は、液体を加熱する加熱容器と、水道管から前記加熱容器への給水経路に設けられた給水を制御する給水弁と、前記加熱容器内の液体を吐出するポンプと、前記給水弁と前記ポンプを制御する制御手段と、前記制御手段には前記加熱容器内への注水から排水までのすすぎ洗浄工程を自動で行うすすぎ洗浄手段を有し、前記制御手段の動作停止時に前記制御手段の動作工程を記憶する記憶手段と、前記制御手段の動作開始時に前記記憶手段に記憶されているのがすすぎ洗浄工程の途中であった時、記憶手段に記憶されたすすぎ洗浄工程の途中から動作を復帰させる、すすぎ洗浄復帰手段とを有する給湯装置としたことにより、すすぎ洗浄工程が停電により中断しても、停電復帰後、中断したところからすすぎ洗浄工程を開始し自動的に完結するので、思いがけない停電によって、すすぎ洗浄が不十分な状態で終わってしまうのを防ぐ衛生的な給湯装置を提供することができる。
【０００８】
請求項２に記載の発明は、制御手段の動作開始時に記憶手段に記憶されているのがすすぎ洗浄工程の途中であった時、前記洗浄復帰手段に替わり、すすぎ洗浄工程の最初から動作を行うすすぎ洗浄リセット手段を有することにより、停電によりすすぎ洗浄工程が中断すると新たにすすぎ洗浄をやり直すので、長時間の停電にも安心で衛生的な給湯装置を提供することができる。
【０００９】
請求項３に記載の発明は、制御手段の動作開始時に記憶手段に記憶されているのがすすぎ洗浄工程の途中であった時、すすぎ洗浄途中で停電したことを表示する洗浄途中停電表示手段を有することにより、使用者がすすぎ洗浄中、その場を離れている間に停電が生じてすすぎ洗浄工程の時間が延びていても一目でその理由が分かり、使用者に不安を与えることが無い給湯装置を提供することができる。
【００１０】
請求項４に記載の発明は、制御手段の動作開始時に記憶手段に記憶されているのが、機器の故障やユーザーの誤操作等の異常モードの時、前記すすぎ洗浄手段を動作させる異常時すすぎ手段を有することにより、異常モードになったので電源が切られ、異常や故障等の修理が行われ復旧した後、再び電源が入れられると、自動的に加熱容器のすすぎ洗浄が始まるので、万が一、修理時に加熱容器内が不衛生な状態になったとしても、安心して使用することができる給湯装置を提供することができる。
【００１１】
請求項５に記載の発明は、制御手段の動作開始時に記憶手段に記憶されている前回停電時の動作工程の情報があり得ないデータの時、すすぎ洗浄手段を動作させる誤情報すすぎ手段を有することにより、万が一記憶手段の故障、あるいは記憶された情報がノイズ等により化けで停電前の正しい動作工程の判断が行えない時、自動的に加熱容器のすすぎ洗浄が開始されるので、たとえ記憶した内容がおかしくなっても、衛生的に安全に使用できる給湯装置を提供することができる。
【００１２】
請求項６に記載の発明は、記憶手段に情報が記憶されていない時、すすぎ洗浄手段を動作させる初回時すすぎ手段を有することにより、初めて給湯装置を使用する時には、自動的に加熱容器のすすぎ洗浄が行われるので、衛生的に安心な状態で使い始めることのできる給湯装置を提供することができる。
【００１３】
請求項７に記載の発明は、制御手段の動作開始時に記憶手段に記憶されている動作工程を判断後、記憶手段に記憶された動作工程を消去する消去手段を有することにより、万が一、機器の誤動作等により、記憶手段に制御手段が行っていた動作工程を記憶することなく、制御手段が停止しても、前回停電時に記憶された記憶手段の内容はクリアされているので、新たに制御手段が動作開始して、誤って前回停電時に記憶した動作工程に従って始まることが無いので、使用者に不安を与えず使い勝手が良い給湯装置を提供することができる。
【００１４】
【実施例】
以下本発明の実施例について、図１〜１６を参照しながら説明する。
【００１５】
（実施例１）
図１は、本発明の第１の実施例における給湯装置のを示すものである。図１において、１は家庭内に設置されたキッチンユニットを示し、その内部空間に浄水加熱ユニット２を設置している。３は水道管であり、キッチンユニット１のキッチンシンク１２に臨んだ水道口４と、水道水中の不純物を除去する中空子膜や活性炭からなる浄水手段５とに接続している。水道管３と浄水手段５との給水路には、浄水手段５への給水を制御する給水弁６を設けている。浄水手段５を通過した水道水は、水を加熱するヒータ７を有する加熱容器８へ給水経路９を介して注がれる。また加熱容器８には加熱容器内の水温を検知する温度検知手段であるサーミスタ１０と、加熱容器８内の水位を、電極間の電位が水の有無によって変わることから検知する水位検知手段１１を設けている。
【００１６】
そして、給水経路９上には、浄水手段５を通過した水をキッチンシンク１２に吐出する浄水パイプ１３か、給水経路９のどちらかに導く切替弁１４が設けてある。１５は加熱容器８から生じた蒸気を逃がす蒸気パイプ、１６は加熱容器８内の湯を出湯パイプ１７に吐出するポンプである。上記した浄水パイプ１３、蒸気パイプ１５、および出湯パイプ１７は、水道口４と同様、キッチンシンク１２に臨んで配置されている。１８は出湯や浄水の吐出及び各種状態を知らせる操作表示部で、キッチンユニット１の上部の操作部１ａに設けてある。１９は本発明の実施例における給湯装置へ電源を供給している商用電源、２０は本発明の実施例における給湯装置の制御手段であるマイクロコンピュータであり、マイクロコンピュータ２０には給水弁６とヒータ７、サーミスタ１０、水位検知手段１１、切替弁１４、ポンプ１６、操作表示部１８、商用電源１９を接続し、サーミスタ１０、水位検知手段１１、操作表示部１８、商用電源１９からの入力に応じて、給水弁６、ヒータ７、切替弁１４、ポンプ１６を出力制御する。
【００１７】
マイクロコンピュータ２０内には、水位検知手段１１からの水位の信号に応じて、給水弁６と、切替弁１４と、ポンプ１６を制御して、加熱容器８内への注水から排水までのすすぎ洗浄工程を自動で行うすすぎ洗浄手段２０ａと、商用電源１９が停電したとき、マイクロコンピュータ２０が制御していた動作を記憶する、記憶保持の電源を必要としないメモリで構成された記憶手段２０ｂと、マイクロコンピュータ２０に商用電源１９から電源が供給され始めた時、記憶手段２０ｂに記憶された内容がすすぎ洗浄工程の途中であったなら、その続きからすすぎ洗浄手段２０ａを開始させるすすぎ洗浄復帰手段２０ｃを有している。
【００１８】
図２は上記操作表示部１８の詳細を示しており、１８ａはＯＮになると接続されたマイクロコンピュータ２０が切替弁１４を浄水パイプ１３側に切り換えると共に、給水弁６を開いて浄水した水を吐出する浄水ＳＷ。１８ｂは浄水した水が吐出されていることを点灯して表す浄水ＬＥＤ。１８ｃはＯＮになると接続されたマイクロコンピュータ２０が切替弁１４を加熱容器８、出湯パイプ１７側に切り換えるとともにポンプ１６を駆動して加熱容器８内の湯を出湯する出湯ＳＷ。１８ｄはＯＮになると出湯ＳＷ１８ｃの操作を可能とするロック解除ＳＷ。１８ｅはロック解除ＳＷ１８ｄがＯＮになると点灯してロック解除ＳＷ１８ｄの状態を表すロック解除ＬＥＤ。１８ｆはＯＮになるとすすぎ洗浄手段２０ａを動作させるすすぎ洗浄ＳＷ。１８ｇはすすぎ洗浄中であることを点灯して表示するすすぎ洗浄ＬＥＤである。
【００１９】
以上のように構成された給湯装置についてその動作を説明する。給湯装置の加熱容器８内の水温はサーミスタ１０によって検知され、マイクロコンピュータ２０に送られる。マイクロコンピュータ２０は、サーミスタ１０によって検知した水温が８５℃未満になるとヒータ７をＯＮ、８５℃以上になるとヒータ７をＯＦＦして保温状態を維持している。
【００２０】
また、出湯ＳＷ１８ｃをＯＮして加熱容器８内の湯を出湯して満水から水位が下がると、水位検知手段１１が水位が下がったことを検知してマイクロコンピュータ２０に送り、マイクロコンピュータ２０は水位が下がった信号を受け取ると、切替弁１４を加熱容器８側に切替るとともに、給水弁６を開いて加熱容器８内に給水する給水状態になる。そして水位検知手段１１が水位の満水状態を検知してマイクロコンピュータ２０に送ると、マイクロコンピュータ２０は給水弁６を閉じて給水を止め、ヒータ７を制御して高温の湯を保つ保温状態となる。このように加熱容器内８内には、常に高温の湯が満水状態で出湯できる状態に保たれる。
【００２１】
次にすすぎ洗浄手段２０ａの動きについて、動作図３を用いて説明する。すすぎ洗浄手段２０ａは、すすぎ洗浄ＳＷ１８ｆからＯＮ信号を受け取ると、すすぎ洗浄工程をスタートして、ステップ１で出湯ＳＷ１８ｃがＯＮ状態になるまで待つ。ＯＮ状態になるとステップ２に移行してポンプ１６を駆動して加熱容器８内の高温の湯を出湯パイプ１７から吐出する。ステップ３では、水位検知手段１１によって加熱容器８内の水位が０になったどうか判断する。まだ加熱容器８内に湯が残っているならＮＯとなり、ステップ１に戻って出湯ＳＷ１８ｃによって出湯操作を待つ。
【００２２】
反対に水位が０になると加熱容器８内が空になったのでＹＥＳとなってステップ４に移行する。ステップ４ではポンプ１６をＯＦＦするとともに、すすぎ洗浄手段２０ａは切替弁１４を加熱容器８側に切り替えて、給水弁６を開いて加熱容器８への給水を開始し、水位検知手段１１が満水を検知するまで給水工程を継続する。満水を検知するとステップ５に移行して給水弁６を閉じて加熱容器８への給水を停止し、ポンプ１６を駆動して、満水になった加熱容器８内の水を出湯パイプ１７から吐出して、水位検知手段１１が水位０を検知して加熱容器８内の水が無くなるまで排水工程を継続する。加熱容器８内に水が無くなるとステップ６に移行する。
【００２３】
ステップ６ではステップ４と同じ給水工程の動作を行い、ステップ７に移行しステップ７ではステップ５と同じ排水工程の動作を行う。ステップ８、ステップ９でもステップ４、ステップ５と同じ給水工程、排水工程の動作を行い、最終的に給水、排水の工程を３回自動的に繰り返し終了する。
【００２４】
次に記憶手段２０ｂとすすぎ洗浄復帰手段２０ｃの動きについて、動作図４を用いて説明する。ステップ１０ですすぎ洗浄手段２０ａが、自動排水の１回目、つまり図３のステップ５の状態の時、ステップ１１で商用電源１９に停電が生じると、マイクロコンピュータ２０は、そのとき行っていた給湯装置の動作工程、本実施例の場合は、すすぎ洗浄工程の自動排水１回目という情報をステップ１２で記憶手段２０ｂに記憶する。
【００２５】
次にステップ１３で商用電源１９の停電が復帰して給湯装置に電源が供給されるとＹＥＳとなり、すすぎ洗浄復帰手段２０ｃはステップ１４で記憶手段２０ｂに記憶された、前回停電が生じた時の給湯装置の状態を読み出す。そしてステップ１５で読み出した内容がすすぎ洗浄かどうかを判断する。ここで記憶手段２０ｂに記憶されていたのが、すすぎ洗浄であったならステップ１６に移行し、ステップ１６ですすぎ洗浄復帰手段２０ｃは、すすぎ洗浄手段２０ａに記憶手段２０ｂから読み出した、すすぎ洗浄工程の自動排水の１回目、つまり図３のステップ５からスタートする開始信号を出力し、すすぎ洗浄手段２０ａはすすぎ洗浄復帰手段２０ｃから受け取った開始信号に応じて、すすぎ洗浄工程の自動排水１回目、つまり図３のステップ５から動作を開始する。
【００２６】
もし、ステップ１５で読み出した内容が、給水や保温工程等すすぎ洗浄でない場合はＮＯとなり、記憶手段２０ｂに記憶された動作工程に関係なく、マイクロコンピュータ２０による、常に高温の湯が満水状態で出湯できる状態を保持する給湯装置の動作を行う。
【００２７】
以上のように本実施例によれば、すすぎ洗浄手段２０ａと記憶手段２０ｂと、すすぎ洗浄復帰手段２０ｃを設けることにより、加熱容器内を洗浄するすすぎ洗浄中に停電が生じてすすぎ洗浄を中断しても、停電復帰後時にすすぎ洗浄の続きから復帰してすすぎ洗浄の工程を最後まで行うので、すすぎ洗浄が不十分な状態で終わってしまうことを防ぎ衛生的である。
【００２８】
また、記憶手段に記憶された全ての状態を復帰するのでなく、中断すると問題のあるすすぎ洗浄だけを復帰させるので、マイクロコンピュータ２０のプログラムも、全ての動作工程を復帰させるのに比べ簡単になり、衛生的にも、コスト的にも優れている給湯装置を提供することができる。
【００２９】
なお、本実施例においてすすぎ洗浄工程の給水と排水の連続繰り返しの回数を３回としたが、増減して、効果および工程時間を調節しても何ら問題ない。また、本実施例において加熱容器８内に給水した水をすぐ排水したが、時間をおいて排水しても何ら問題ない。また、本実施例において給水した水を排水しただけであったが、給水した水を加熱して排水を行い、すすぎ洗浄の効果を上げても何ら問題ない。
【００３０】
また、本実施例において、高温のお湯を出湯するステップ１において出湯ＳＷ１８ｃを使用者に操作させたが、高温のお湯を出湯するステップ１においても自動出湯しても問題ない。また、本実施例において記憶手段２０ｂは、記憶保持の電源を必要としないメモリを用いたが、電源を必要とするメモリを用いても何ら問題ない。
【００３１】
（実施例２）
以下、本発明の第２の実施例について図５を参照しながら説明する。なお本実施例の全体構成について実施例１と同一の構成要素については、同じ番号を付し説明を省略する。
【００３２】
マイクロコンピュータ２０内には、マイクロコンピュータ２０に商用電源１９から電源が供給され始めた時、記憶手段２０ｂに記憶された内容がすすぎ洗浄工程の途中であったなら、すすぎ洗浄手段２０ａを開始させるすすぎ洗浄リセット手段２０ｄを設けている。
【００３３】
このすすぎ洗浄リセット手段２０ｄの動きについて、動作図６を用いて説明する。なお実施例１と同じ動きについては、同じステップ番号を付し説明を省略する。すすぎ洗浄リセット手段２０ｄはステップ１５で、読み出した内容がすすぎ洗浄かどうかを判断する。ここで記憶手段２０ｂに記憶されていたのが、すすぎ洗浄であったならステップ１７に移行し、ステップ１７ですすぎ洗浄リセット手段２０ｄは、すすぎ洗浄手段２０ａにすすぎ洗浄工程の始めから、つまり図３のステップ１からスタートする開始信号を出力する。すすぎ洗浄手段２０ａはすすぎ洗浄リセット手段２０ｄから信号を受け取ると、すすぎ洗浄工程の始めから、つまり図３のステップ１から動作を開始する。
【００３４】
以上のように本実施例によれば、すすぎ洗浄復帰手段２０ｃの替わりに、すすぎ洗浄リセット手段２０ｄを設けることにより、加熱容器内を洗浄するすすぎ洗浄中に停電が生じても、停電復帰後時、もう一度始めからすすぎ洗浄を行うので、停電が長時間になっても、すすぎ洗浄能力が十分で、衛生的にも安心な給湯装置を提供することができる。
【００３５】
（実施例３）
以下、本発明の第３の実施例について、本実施例の操作表示部１８の詳細図である図７を参照しながら説明する。なお本実施例の全体構成については実施例１と同一であり、同じ番号を付し説明を省略する。
【００３６】
操作表示部１８内に設けた洗浄途中停電表示手段であるところの洗浄停止ＬＥＤ１８ｈは、すすぎ洗浄復帰手段２０ｃが、すすぎ洗浄手段２０ａに開始信号を送るとともに、点灯信号を出力して点灯する。
【００３７】
以上のように本実施例によれば、洗浄途中停電表示手段である洗浄停止ＬＥＤ１８ｈを設けることにより、すすぎ洗浄中に停電が起こって、停電復帰後すすぎ洗浄工程を再開すると、それを使用者に表示して知らせるので、使用者がすすぎ洗浄中、その場を離れている間に停電が生じてすすぎ洗浄工程の時間が延びていても、一目でその理由が分かり、使用者に不安を与えることが無い給湯装置を提供することができる。
【００３８】
（実施例４）
以下、本発明の第４の実施例について図面を参照しながら説明する。図８は本実施例の全体構成図であり、実施例１と同一の構成要素については同じ番号を付し説明を省略する。
【００３９】
マイクロコンピュータ２０内には、記憶手段２０ｂから読み出した内容が、機器の故障やユーザーの誤操作等の異常内容の時、すすぎ洗浄手段２０ａの動作を開始する異常時すすぎ手段２０ｅを設けている。
【００４０】
この異常時すすぎ手段２０ｅの動きについて、動作図９を用いて説明する。ステップ１８でマイクロコンピュータ２０ａは、サーミスタ１０によって計測した水温が保温温度の８５℃を越える１１０℃に達すると、ヒータ７あるいはサーミスタ１０の異常と判断して異常高温として、本実施例の操作表示部１８の詳細図１０に示すように、ロック解除ＬＥＤ１８ｅを点滅表示させて、使用者に異常高温状態であることを報知する。なお操作表示部１８については実施例１と同一の構成要素であり、同じ番号を付し説明を省略する。
【００４１】
次にステップ１９で異常高温状態で商用電源１９の停電が生じると、ステップ２０でマイクロコンピュータ２０は、そのとき行っていた給湯装置の動作工程、本実施例の場合は、異常高温状態という情報を記憶手段２０ｂに記憶する。
【００４２】
次にステップ２１で商用電源１９の停電が復帰すると、異常時すすぎ手段２０ｅはステップ２２で記憶手段２０ｂに記憶された、前回停電が生じた時の給湯装置の状態を読み出す。そしてステップ２３で読み出した内容が機器の故障やユーザーの誤操作等の異常状態かどうかを判断する。ここで記憶手段２０ｂに記憶されていたのが、異常高温状態であったなら、機器の故障あるいはユーザーの誤操作等の異常状態である為ＹＥＳとなりステップ２４に移行し、ステップ２４で異常時すすぎ手段２０ｅは、すすぎ洗浄手段２０ａにすすぎ洗浄工程の始めから、つまり動作図３のステップ１からスタートする開始信号を出力する。すすぎ洗浄手段２０ａは異常時すすぎ手段２０ｅから受け取った開始信号に応じて、すすぎ洗浄工程の始めから、つまり動作図３のステップ１から動作を開始する。
【００４３】
反対に、ステップ２３で記憶内容が、機器の故障あるいはユーザーの誤操作等の異常状態でない場合はＮＯとなり、異常時すすぎ手段２０ｅの処理を終了する。
【００４４】
以上のように本実施例によれば、異常時すすぎ手段２０ｅを設けることにより、機器の故障あるいはユーザーの誤操作等の異常状態になり、電源が切られて、再び電源が入れられると、自動的にすすぎ洗浄手段２０ａが動作して加熱容器８内のすすぎ洗浄を行えるので、電源が切られている間に修理等により異常状態が回復して、その間加熱容器８内が不衛生な状態になったとしても、安心して使用することができる給湯装置を提供することができる。
【００４５】
なお、本実施例において異常状態としてヒータ７あるいはサーミスタ１０の故障による異常高温状態を挙げたが、浄水手段５の交換によるつけ忘れ、給水弁６、水位検知手段１１、切替弁１４、ポンプ１６、マイクロコンピュータ２０の故障等、その他の誤使用や機器の故障状態としても何ら問題ない。
【００４６】
（実施例５）
以下、本発明の第５の実施例について図面を参照しながら説明する。図１１は本実施例の全体構成図であり、実施例１と同一の構成要素については同じ番号を付し説明を省略する。
【００４７】
マイクロコンピュータ２０内には、記憶手段２０ｂから読み出した内容が、全ての動作工程に当てはまらない、あり得ないデータの時、すすぎ洗浄手段２０ａの動作を開始する誤情報すすぎ手段２０ｆを設けている。
【００４８】
この誤情報すすぎ手段２０ｆの動きについて、動作図１２を用いて説明する。ステップ２５でマイクロコンピュータ２０ａは、水位検知手段１１によって、加熱容器８内の水位が満水から下がったことを判断して、切替弁１４を加熱容器８側に切替るとともに、給水弁６を開いて加熱容器８内に給水する給水状態になっている。
【００４９】
次にステップ２６で商用電源１９の停電が生じると、マイクロコンピュータ２０は、そのとき行っていた給湯装置の動作工程、本実施例の場合は、給水状態という情報をステップ２７で記憶手段２０ｂに記憶する。
【００５０】
次にステップ２８で商用電源１９の停電が復帰すると、誤情報すすぎ手段２０ｆはステップ２９で記憶手段２０ｂに記憶された、前回停電が生じた時の給湯装置の状態を読み出す。
【００５１】
そしてステップ３０で、読み出した内容が、給水状態、保温状態、すすぎ洗浄状態あるいは異常状態等給湯装置の動作状態のうちのいずれかに当てはまるか判断する。
【００５２】
もし読み出した状態が、いずれにも当てはまらなければ誤った情報であるためＹＥＳとなりステップ３１に移行し、ステップ３１で誤情報すすぎ手段２０ｆは記憶手段２０ｂの故障、外部からのノイズによるデータ化け等のトラブルが発生したと判断して、誤情報すすぎ手段２０ｆはすすぎ洗浄手段２０ａにすすぎ洗浄工程の始めから、つまり動作図３のステップ１からスタートする開始信号を出力する。すすぎ洗浄手段２０ａはすすぎ洗浄復帰手段２０ｃから受け取った開始信号に応じて、すすぎ洗浄工程の始めから、つまり動作図３のステップ１から動作を開始する。
【００５３】
反対に、ステップ３０で記憶内容が、給水状態、保温状態、すすぎ洗浄状態あるいは異常状態等給湯装置の動作状態のうちのいずれかに当てはまる場合はＮＯとなり、誤情報すすぎ手段２０ｆの処理を終了する。
【００５４】
以上のように本実施例によれば、誤情報すすぎ手段２０ｆを設けることにより、万が一記憶手段２０ｂの故障、あるいは記憶された情報がノイズ等により化けて停電前の正しい動作工程の判断が行えないと、加熱容器８のすすぎ洗浄を行うので、記憶手段２０ｂの記憶内容がおかしくなっても、衛生的に使用できる給湯装置を提供することができる。
【００５５】
（実施例６）
以下、本発明の第６の実施例について図面を参照しながら説明する。図１３は本実施例の構成図であり実施例１と同一の構成要素については同じ番号を付し説明を省略する。
【００５６】
マイクロコンピュータ２０内には、記憶手段２０ｂから読み出した情報に何も記録されていなければ、すすぎ洗浄手段２０ａの動作を開始する初回時すすぎ手段２０ｇを設けている。
【００５７】
この初回時すすぎ手段２０ｇの動きについて、動作図１４を用いて説明する。ステップ３２で商用電源１９が投入されると、初回時すすぎ手段２０ｇはステップ３３で記憶手段２０ｂに記憶された、前回停電が生じた時の給湯装置の状態を読み出す。そしてステップ３４で、読み出した内容が、前回停電時の情報無し、つまり納品された給湯装置に初めて電源が入ったかどうか判断する。
【００５８】
もし、情報無しで初めて電源が入れられたと判断するとＹＥＳとなりステップ３５に移行し、ステップ３５で初回時すすぎ手段２０ｇは、すすぎ洗浄手段２０ａにすすぎ洗浄工程の始めから、つまり動作図３のステップ１からスタートする開始信号を出力する。すすぎ洗浄手段２０ａはすすぎ洗浄復帰手段２０ｃから受け取った開始信号に応じて、すすぎ洗浄工程の始めから、つまり動作図３のステップ１から動作を開始する。
【００５９】
反対に、ステップ３４で前回停電が生じた時の給湯装置の状態の情報が有るなら、給湯装置に初めて電源が入れられたのではない為ＮＯとなり、初回時すすぎ手段２０ｇの処理を終了する。
【００６０】
以上のように本実施例によれば、初回時すすぎ手段２０ｇを設けることにより、初めて給湯装置を使用する時には、必ず加熱容器８内のすすぎ洗浄が行われるので、衛生的に安心な状態で使い始めることのできる給湯装置を提供することができる。
【００６１】
（実施例７）
以下、本発明の第７の実施例について図面を参照しながら説明する。図１５は本実施例の構成図であり実施例１と同一の構成要素については同じ番号を付し説明を省略する。
【００６２】
マイクロコンピュータ２０内には、すすぎ洗浄復帰手段２０ｃが動作したとき、記憶手段２０ｂに記憶された動作工程を消去する、消去手段２０ｈを設けている。
【００６３】
この消去手段２０ｈの動きについて、動作図１６を用いて説明する。なお実施例１と同じ動きについては、同じステップ番号を付し説明を省略する。ステップ１６ですすぎ洗浄復帰手段２０ｃは、すすぎ洗浄手段２０ａに読み出したすすぎ洗浄工程の自動排水の１回目、つまり図３のステップ５からスタートする開始信号を出力し、すすぎ洗浄手段２０ａはすすぎ洗浄復帰手段２０ｃから受け取った開始信号に応じて、すすぎ洗浄工程の自動排水１回目、つまり図３のステップ５から動作を開始する。
【００６４】
もし、ステップ１５で読み出した内容が、給水や保温工程等すすぎ洗浄でない場合はＮＯとなり、記憶手段２０ｂに記憶された動作工程に関係なく、マイクロコンピュータ２０による、常に高温の湯が満水状態で出湯できる状態を保持する給湯装置の動作を行う。
【００６５】
消去手段２０ｈは、すすぎ洗浄復帰手段２０ｃが動作後のステップ３６で記憶手段２０ｂに０のデータ、つまり動作工程の情報無しを書き込む。
【００６６】
以上のように本実施例によれば、消去手段２０ｈを設けることにより、万が一、機器の誤動作等により、記憶手段２０ｂにマイクロコンピュータ２０が行っていた動作工程を記憶することなく、マイクロコンピュータ２０の動作が停止しても、記憶手段２０ｂはクリアされているので、新たにマイクロコンピュータ２０が動作開始して、誤って前回記憶した動作工程に従って動かないので、使用者に不安を与えず使い勝手が良い給湯装置を提供することができる。
【００６７】
【発明の効果】
以上のように本発明によれば、加熱容器内を洗浄するすすぎ洗浄中に停電が生じてすすぎ洗浄を中断しても、停電復帰後時にすすぎ洗浄の続きから復帰できるので、すすぎ洗浄が不十分な状態で終わってしまうことがなく、衛生的にも安全である。また、記憶手段に記憶された全ての状態を復帰するのでなく、中断すると衛生的に問題の出る恐れがあるすすぎ洗浄だけを復帰させるので、プログラム処理も簡単になり、衛生的にも、コスト的にも優れている給湯装置を提供することができる。
【図面の簡単な説明】
【図１】本発明の第１の実施例における給湯装置の全体を示す断面図
【図２】同給湯装置における操作表示部の平面図
【図３】同給湯装置におけるすすぎ洗浄手段の動作を示すフローチャート
【図４】同給湯装置における記憶手段とすすぎ洗浄復帰手段の動作を示すフローチャート
【図５】本発明の第２の実施例における給湯装置の全体を示す断面図
【図６】同給湯装置におけるすすぎ洗浄リセット手段の動作を示すフローチャート
【図７】本発明の第３の実施例における操作表示部の平面図
【図８】本発明の第４の実施例における給湯装置の全体を示す断面図
【図９】同給湯装置における異常時すすぎ手段の動作を示すフローチャート
【図１０】同給湯装置における操作表示部の平面図
【図１１】本発明の第５の実施例における給湯装置の全体を示す断面図
【図１２】同給湯装置における無誤情報すすぎ手段の動作を示すフローチャート
【図１３】本発明の第６の実施例における給湯装置の全体を示す断面図
【図１４】同給湯装置における初回時すすぎ手段の動作を示すフローチャート
【図１５】本発明の第７の実施例における給湯装置の全体を示す断面図
【図１６】同給湯装置における消去手段の動作を示すフローチャート
【符号の説明】
３  水道管
６  給水弁
８  加熱容器
９  給水経路
１６  ポンプ
１８ｈ  洗浄停止ＬＥＤ（洗浄途中停電表示手段）
２０  マイクロコンピュータ（制御手段）
２０ａ  すすぎ洗浄手段
２０ｂ  記憶手段
２０ｃ  すすぎ洗浄復帰手段
２０ｄ  すすぎ洗浄リセット手段
２０ｅ  異常時すすぎ手段
２０ｆ  誤情報すすぎ手段
２０ｇ  初回時すすぎ手段
２０ｈ  消去手段
【図１】
0003770190.tif 000002
【図２】
0003770190.tif 000003
【図３】
0003770190.tif 000004
【図４】
0003770190.tif 000005
【図５】
0003770190.tif 000006
【図６】
0003770190.tif 000007
【図７】
0003770190.tif 000008
【図８】
0003770190.tif 000009
【図９】
0003770190.tif 000010
【図１０】
0003770190.tif 000011
【図１１】
0003770190.tif 000012
【図１２】
0003770190.tif 000013
【図１３】
0003770190.tif 000014
【図１４】
0003770190.tif 000015
【図１５】
0003770190.tif 000016
【図１６】
0003770190.tif 000017